【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
電力システム制御を改善するための電子システムであって、前記システムは、
第１の端子と第２の端子とを備える第１のインダクタと、
切替装置であって、
カソード端子とアノード端子とを備える第１のダイオードと、
カソード端子とアノード端子とを備える第２のダイオードと、
第１の端子と第２の端子とを備える第１のスイッチと、
第１の端子と第２の端子とを備える第２のスイッチと
を備える切替装置と、
第１の端子と第２の端子とを備えるコンデンサと、
第１の端子と第２の端子とを備えるエネルギー操作回路（１８０３、１８０４、１８０５）であって、前記エネルギー操作回路（１８０３、１８０４、１８０５）の前記第１の端子が前記第１のスイッチの前記第２の端子と電気的につながっているエネルギー操作回路と、
を有し、
前記インダクタ、前記切替装置、および前記コンデンサは、電気的に直列につながり、
前記エネルギー操作回路は、前記第１のスイッチと前記第２のスイッチとの間に配された電気ノードを介して前記第１のスイッチおよび前記第２のスイッチに直列に接続される、システム。
【請求項２】
前記インダクタ、前記切替装置、および前記コンデンサは、少なくとも１つの電圧源と電気的に直列につながっている、請求項１に記載のシステム。
【請求項３】
前記少なくとも一つの電圧源は、トロイドの周りに複数の巻線を有する、請求項２に記載のシステム。
【請求項４】
前記少なくとも１つの電圧源は、整流器またはダブラを形成するために接続されるダイオードおよびキャパシタンスのセットを有する、請求項２に記載のシステム。
【請求項５】
前記第１のダイオードの前記アノード端子は、前記第２のダイオードの前記アノード端子と電気的につながり、
前記第１のスイッチの前記第１の端子は、前記第１のダイオードの前記カソード端子と電気的につながり、前記第１のスイッチの前記第２の端子は、前記第１のダイオードの前記アノード端子と電気的につながり、
前記第２のスイッチの前記第１の端子は、前記第２のダイオードの前記アノード端子と電気的につながり、前記第２のスイッチの前記第２の端子は、前記第２のダイオードの前記カソード端子と電気的につながっている、
請求項１に記載のシステム。
【請求項６】
前記エネルギー操作回路（１８０３、１８０４、１８０５）の前記第１の端子は、前記第１のダイオードの前記アノード端子と電気的につながっている、請求項１に記載のシステム。
【請求項７】
前記エネルギー操作回路（１８０３、１８０４、１８０５）は、抵抗器を備える、請求項１に記載のシステム。
【請求項８】
全ての前記スイッチに接続される切替タイミング制御ユニットを備え、
前記切替タイミング制御ユニットは、前記スイッチのオンとオフのタイミングを計算し、低から高への遷移および高から低への遷移の後に、前記コンデンサでの適切な初期条件を再確立するためのルーチンを備える、請求項１に記載のシステム。
【請求項９】
前記エネルギー操作回路（１８０３、１８０４、１８０５）は、
第１の端子と第２の端子とを備える抵抗器と、
第１の端子と第２の端子とを備える第２のインダクタと、
カソード端子とアノード端子とを備える第３のダイオードと
を備え、
前記第２のインダクタは、前記抵抗器と電気的に直列につながり、前記第２のインダクタおよび前記抵抗器は、前記第３のダイオードと並列につながり、
前記エネルギー操作回路（１８０３、１８０４、１８０５）の前記第１の端子は、前記第３のダイオードの前記カソード端子と電気的につながっている、
請求項１に記載のシステム。
【請求項１０】
前記エネルギー操作回路（１８０３、１８０４、１８０５）は、
第１の端子と第２の端子とを備える第３のスイッチと、
第１の端子と第２の端子とを備える第２のインダクタと、
カソード端子とアノード端子とを備える第３のダイオードと、
カソード端子とアノード端子とを備える第４のダイオードと
を備え、
前記第２のインダクタは、電気ノードを介して前記第３のスイッチと電気的に直列につながり、前記第２のインダクタおよび前記第３のスイッチは、前記第３のダイオードと並列につながり、
前記エネルギー操作回路（１８０３、１８０４、１８０５）の前記第１の端子は、前記第３のダイオードの前記カソード端子と電気的につながり、
前記第４のダイオードの前記アノード端子は、前記電気ノードと電気的につながっている、
請求項１に記載のシステム。
【請求項１１】
前記第１のスイッチおよび前記第２のスイッチは、ＢＪＴトランジスタを備える、請求項１に記載のシステム。
【請求項１２】
前記電子システムは、コンピュータ断層撮影のためのＸ線放射システムの一部としての複数の実質的に同一の電子システムと直列である、請求項１に記載のシステム。
【請求項１３】
前記スイッチは、コンピュータ断層撮影のためのＸ線放射システムの一部としての複数の実質的に同一の電子システムと直列である電子システムの一部である、請求項１に記載のシステム。
【請求項１４】
電力システムにおける高速ｋＶ切り替えのための方法であって、前記方法は、
第１のスイッチを開き、第２のスイッチを閉じて、第１の電圧を生成するステップと、
前記第２のスイッチを開き、前記第１のスイッチを閉じて、第２の電圧を生成するステップと
を備え、
前記第１のスイッチは、
第１のダイオードのカソード端子と電気的につながっている第１の端子と、
前記第１のダイオードのアノード端子および第２のダイオードのアノード端子と電気的につながっている第２の端子と
を備え、
前記第２のスイッチは、
前記第１のダイオードの前記アノード端子、前記第２のダイオードの前記アノード端子、およびエネルギー操作回路（１８０３、１８０４、１８０５）と電気的につながっている第１の端子と、
前記第２のダイオードのカソード端子と電気的につながっている第２の端子と
を備え、
前記第１のスイッチおよび前記第２のスイッチは、インダクタ、コンデンサ、および１つまたは複数の電圧源（２２、２７）と電気的に直列につながり、
前記エネルギー操作回路は、前記第１のスイッチと前記第２のスイッチとの間に配された電気ノードを介して前記第１のスイッチおよび前記第２のスイッチに直列に接続されている、方法。
【請求項１５】
第１のスイッチを開き、第２のスイッチを閉じて、第１の電圧を生成する前記ステップと、前記第２のスイッチを開き、前記第１のスイッチを閉じて、第２の電圧を生成する前記ステップは、前記第１のスイッチおよび前記第２のスイッチのオンとオフのタイミングを計算して、低ｋＶから高ｋＶおよび高ｋＶから低ｋＶへ遷移するごとに、前記コンデンサでの適切な初期条件を再確立するステップを備える、請求項１４に記載の方法。
【請求項１６】
前記エネルギー操作回路（１８０３、１８０４、１８０５）は、抵抗器（１８０１、１８０４ｂ）を備える、請求項１４に記載の方法。
【請求項１７】
前記エネルギー操作回路（１８０３、１８０４、１８０５）は、
第１の端子と第２の端子とを備える抵抗器（１８０１、１８０４ｂ）と、
第１の端子と第２の端子とを備える第２のインダクタと、
カソード端子とアノード端子とを備える第３のダイオードと
を備え、
前記第２のインダクタは、前記抵抗器（１８０１、１８０４ｂ）と電気的に直列につながり、前記第２のインダクタおよび前記抵抗器（１８０１、１８０４ｂ）は、前記第３のダイオードと並列につながり、
前記エネルギー操作回路（１８０３、１８０４、１８０５）の前記第１の端子は、前記第３のダイオードの前記カソード端子と電気的につながっている、
請求項１４に記載の方法。
【請求項１８】
前記エネルギー操作回路（１８０３、１８０４、１８０５）は、
第１の端子と第２の端子とを備える第３のスイッチと、
第１の端子と第２の端子とを備える第２のインダクタと、
カソード端子とアノード端子とを備える第３のダイオードと、
カソード端子とアノード端子とを備える第４のダイオードと
を備え、
前記第２のインダクタは、電気ノードを介して前記第３のスイッチと電気的に直列につながり、前記第２のインダクタおよび前記第３のスイッチは、前記第３のダイオードと並列につながり、
前記エネルギー操作回路（１８０３、１８０４、１８０５）の前記第１の端子は、前記第３のダイオードの前記カソード端子と電気的につながり、
前記第４のダイオードの前記アノード端子は、前記電気ノードと電気的につながり、前記第４のダイオードの前記カソード端子は、前記少なくとも１つの電圧源の端子と電気的につながっている、
請求項１４に記載の方法。
【請求項１９】
前記第１のスイッチおよび前記第２のスイッチは、ＢＪＴトランジスタを備える、請求項１４に記載の方法。
【請求項２０】
前記少なくとも１つの電圧源は、トロイドの周りに複数の巻線（１６０１ａ、１６０１ｂ、１６０１ｃ）を備える、請求項１４に記載の方法。